(57)【要約】      （修正有）【課題】多様なバリエーションで発光演出を行なうことができる遊技機を提供する。【解決手段】演出装置１９の発光装置２６は、前後に離間する第１発光手段２４および第２発光手段２５を備える。演出装置１９の上方に、回転反射部材２７が回転自在に配設される。回転反射部材２７は、内面に反射面３４,３５,３６を形成した反射部３３を備え、反射面３４,３５,３６で反射した反射光は側方開口部から外方に照射される。発光装置２６および回転反射部材２７の前後に、光透過カバー２９と固定反射カバー２８が配置される。第１発光手段２４は、反射部３３が前側に到来した状態においても、光透過カバー２９に一部の光を直接照射し得る位置に配置される。第２発光手段２５は、反射部３３が前側に到来した状態においては、反射部３３によって光透過カバー２９への光の直接照射が遮られる位置に配置される。【選択図】図６
2008119389.tif 000002
【特許請求の範囲】
【請求項１】
遊技盤に演出装置が配設された遊技機において、
前記演出装置は、
第１発光手段および該第１発光手段の後方に配置された第２発光手段を備える発光装置と、
駆動手段により上下方向の軸線回りに回転され、前記発光装置からの光を反射可能な反射部を備え、開口部を介して軸線と交差する方向への反射光の照射が許容される回転反射手段と、
前記回転反射手段の後方に配置され、該回転反射手段からの反射光を少なくとも機前面側に向けて反射可能な固定反射手段と、
前記回転反射手段の前方に配置された光透過手段とを備え、
前記第１発光手段は、前記光透過手段との間に前記回転反射手段の反射部が到来した状態においても、該光透過手段に一部の光を直接照射し得る位置に配置され、
前記第２発光手段は、前記光透過手段との間に前記回転反射手段の反射部が到来した状態においては、該反射部によって光透過手段への光の直接照射が遮られる位置に配置されている
ことを特徴とする遊技機。
【請求項２】
前記第１発光手段は、発光色が赤、緑および青の各発光素子を備え、前記第２発光手段は、発光色が白の発光素子を備える請求項１記載の遊技機。
【請求項３】
前記回転反射手段の反射部には、軸線に対する傾斜角度が異なる複数の反射面が上下に連設され、
前記複数の反射面は、前記第１および第２発光手段からの光を反射可能な位置を旋回するよう設定される請求項１または２記載の遊技機。
【請求項４】
前記回転反射手段の反射部には、前記反射面の側縁に所定角度で連なる側部反射面が設けられている請求項３記載の遊技機。
【発明の詳細な説明】
【技術分野】
【０００１】
本発明は、発光装置による発光演出を行なう演出装置を備えた遊技機に関するものである。
【背景技術】
【０００２】
代表的な遊技機であるパチンコ機では、特定の入賞口への入賞を契機として、図柄を変動させる図柄変動ゲームを図柄表示装置で開始させ、その結果として、予め定められた図柄が選ばれたときに、大当り遊技状態(特別遊技状態)を付与して、遊技者に大きな利益を獲得し得る機会を与える遊技が行なわれている。また多くのパチンコ機は、ランプ等の発光手段を備えた演出装置を備え、前記特別遊技状態に際して発光手段を点灯・点滅させて発光演出することにより、遊技の臨場感や迫力を高めて興趣を向上するよう構成されている。
【０００３】
前記演出装置として、固定配置した発光手段からの光を所定方向に反射可能な回転反射手段を回転自在に配設し、該回転反射手段を回転することで、発光手段からの光を多方向に反射して、発光演出効果を高めたものが提案されている(例えば、特許文献１参照)。
【特許文献１】特開２００５−３０４５３４号公報
【発明の開示】
【発明が解決しようとする課題】
【０００４】
前記特許文献１に記載された演出装置では、回転中の回転反射手段が発光手段の前側(遊技者側)に到来した際には、発光手段からの光は回転反射手段で遮られてしまい、発光演出が断続的となっていた。すなわち、遊技者に対しては、回転反射手段の回転により光が照射されたり遮られたりと云う、単調な演出となり、遊技機における遊技の興趣が充分に高められているとは云えなかった。
【０００５】
すなわち本発明は、従来の技術に係る遊技機に内在する前記課題に鑑み、これを好適に解決するべく提案されたものであって、多様なバリエーションで発光演出を行なうことができる遊技機を提供することを目的とする。
【課題を解決するための手段】
【０００６】
前記課題を克服し、所期の目的を達成するため、請求項１に係る発明の遊技機は、
遊技盤(10)に演出装置(19)が配設された遊技機において、
前記演出装置(19)は、
第１発光手段(24)および該第１発光手段(24)の後方に配置された第２発光手段(25)を備える発光装置(26)と、
駆動手段(38)により上下方向の軸線回りに回転され、前記発光装置(26)からの光を反射可能な反射部(33)を備え、開口部(33a)を介して軸線と交差する方向への反射光の照射が許容される回転反射手段(27)と、
前記回転反射手段(27)の後方に配置され、該回転反射手段(27)からの反射光を少なくとも機前面側に向けて反射可能な固定反射手段(28)と、
前記回転反射手段(27)の前方に配置された光透過手段(29)とを備え、
前記第１発光手段(24)は、前記光透過手段(29)との間に前記回転反射手段(27)の反射部(33)が到来した状態においても、該光透過手段(29)に一部の光を直接照射し得る位置に配置され、
前記第２発光手段(25)は、前記光透過手段(29)との間に前記回転反射手段(27)の反射部(33)が到来した状態においては、該反射部(33)によって光透過手段(29)への光の直接照射が遮られる位置に配置されていることを特徴とする。
請求項１の発明によれば、第２発光手段を発光させることにより、前方で発光する第１発光手段の発光色に強弱をつけることが可能となり、発光パターンのバリエーションが豊富になる。また、第１発光手段と光透過手段との間に回転反射手段の反射部が到来した状態においても、第１発光手段からの光の一部は光透過手段に直接照射されるから、回転反射手段の回転中において、光透過手段に対する発光が全く失われることはない。すなわち、機前面側に位置する遊技者に対し、常に発光演出を行なうことができる。
【０００７】
請求項２に係る発明では、前記第１発光手段(24)は、発光色が赤、緑および青の各発光素子を備え、前記第２発光手段(25)は、発光色が白の発光素子を備えることを要旨とする。
請求項２の発明によれば、第１発光手段による発光色を変更することができ、色の変化および光の強弱による発光パターンのバリエーションが更に増える。
【０００８】
請求項３に係る発明では、前記回転反射手段(27)の反射部(33)には、軸線に対する傾斜角度が異なる複数の反射面(34,35)が上下に連設され、
前記複数の反射面(34,35)は、前記第１および第２発光手段(24,25)からの光を反射可能な位置を旋回するよう設定されることを要旨とする。
請求項３の発明によれば、傾斜角度が異なる複数の反射面により、反射光を上下方向に異なる角度で照射することができる。すなわち、遊技機で遊技を行なっている遊技者へ向けて発光するだけでなく、当該遊技機の前方を通過する歩行中の遊技者や遊技場従業員に対しても、発光演出が行なわれていることを認識させ得る。なお、発光演出を特別遊技状態において実行するよう設定している場合は、歩行中の遊技者に対しては、当該遊技機への関心を高めることができると共に、遊技場従業員に対しては、特別遊技状態となっていることを覚知させることが可能となる。
【０００９】
請求項４に係る発明では、前記回転反射手段(27)の反射部(33)には、前記反射面(34,35)の側縁に所定角度で連なる側部反射面(36)が設けられていることを要旨とする。
請求項４の発明によれば、回転反射手段の回転中において、発光手段からの光の照射位置が反射面から側部反射面または側部反射面から反射面に変わる際に光の反射が途切れることなく、反射面と側部反射面とで反射光の照射方向が変更されから、興趣の高い発光演出ができる。
【発明の効果】
【００１０】
本発明に係る遊技機によれば、発光演出のバリエーションを増やして、興趣を増大することができる。
【発明を実施するための最良の形態】
【００１１】
次に、本発明に係る遊技機につき、好適な実施例を挙げて、添付図面を参照しながら、以下詳細に説明する。なお実施例では、遊技球としてパチンコ球を用いるパチンコ機を、遊技機の一例として説明する。また、以下の説明において前・後とは、特に断りのない限り、図２に示すようにパチンコ機の遊技盤１０を正面側から見た場合において指称するものとする。
【実施例】
【００１２】
図２に示す如く、実施例に係るパチンコ機の遊技盤１０は、その前面側に、略円形状に湾曲形成したレール１１により遊技領域１２が画成されて、該遊技領域１２の中央位置に各種の装飾部材が配設された大型のセンター役物(遊技部品)１３が配設されている。このセンター役物１３の上部側方(実施例では左側)に、遊技領域１２に打出されて流下するパチンコ球を受入れる流入口１４が開設されると共に、該センター役物１３の内部には、流入口１４から内部に通入したパチンコ球を、遊技者が多くの賞球を獲得可能な権利発生の契機となる特定普通図柄作動口１５への入賞率を調整するように機能する第１振分装置１６、第２振分装置１７および振分部材１８(所謂クルーン)が配設されている。また、センター役物１３における上部には、所定の条件によって各種の発光演出を行なって、遊技の興趣を向上させる演出装置１９が配設されている。なお、センター役物１３の内部略中央位置には開口部２０が開設されて、該開口部２０から遊技盤１０の裏側に配設された図柄表示装置２１の表示面が前側に臨むようになっている。また、開口部２０には透明板２２が配設されると共に、該透明板２２の前面に配設される第１振分装置１６を構成する各部材は透明な合成樹脂で形成されて、図柄表示装置２１の表示面に表示される図柄変動による演出を機前面側から視認し得るよう構成される。
【００１３】
前記演出装置１９は、図１に示す如く、略矩形状のベース板２３上に配設された第１発光手段２４および第２発光手段２５を備える発光装置２６と、発光装置２６の上方に設けられた回転反射手段としての回転反射部材２７と、回転反射部材２７の後方に配置された固定反射手段としての固定反射カバー２８と、回転反射部材２７の前方に配置された光透過手段としての光透過カバー２９とを基本的に備えている。
【００１４】
前記光透過カバー２９は、釣鐘を中央で縦断した形状に形成されて、その側方開口部を後側に向けた姿勢で装置本体３０に配設されて、該光透過カバー２９で前記発光装置２６、回転反射部材２７および固定反射カバー２８の全体を前側から覆っている(図３参照)。この光透過カバー２９は、光透過性を有する合成樹脂材により形成されて、前記発光装置２６からの直接光、回転反射部材２７および固定反射カバー２８で反射した反射光を機前面側に透過し得るよう構成される。また光透過カバー２９における凹状に湾曲する内面(発光装置２６を指向する後面)は、光拡散処理が施された光拡散面２９ａとされ(図４,図５参照)、発光装置２６、回転反射部材２７および固定反射カバー２８からの光を広範囲に拡散し得るようになっている。なお、光透過カバー２９としては、無色透明や有色透明のもの、あるいは玉虫色のハーフミラー等を用いることができる。また光拡散処理としては、例えば、ローレット加工、ダイヤカット加工、シボ加工等、その他各種の加工を採用し得る。
【００１５】
前記固定反射カバー２８は、光透過カバー２９と略対称な釣鐘を中央で縦断した形状に形成され、その側方開口部を前側に向けた姿勢で装置本体３０に配設されて、該固定反射カバー２８で前記発光装置２６および回転反射部材２７の全体を後側から覆っている。すなわち、固定反射カバー２８と光透過カバー２９とで画成される空間３１内に、発光装置２６および回転反射部材２７が収納されるようになっている。また、固定反射カバー２８における凹状に湾曲する内面(発光装置２６を指向する前面)は、光を反射し得る鏡面処理が施された固定反射面２８ａとされ、発光装置２６および回転反射部材２７からの光を機前面側(光透過カバー２９側)に反射し得るよう構成される。なお、固定反射カバー２８は合成樹脂材で形成されて、その表面をメッキ処理することで前記固定反射面２８ａが形成されている。また、光透過カバー２９および固定反射カバー２８が配設された装置本体３０における機前面側に露出する部分についても、メッキ処理されている。
【００１６】
前記発光装置２６を構成する第１発光手段２４は、図１に示す如く、ベース板２３の前部側において左右方向に離間して複数(実施例では３個)配設され、各第１発光手段２４は、発光色が赤、緑および青の各発光素子を備えるフルカラーＬＥＤで構成される。実施例では、中央に位置する第１発光手段２４は、左右両側の第１発光手段２４よりも更に前側にズレた位置に配置されている。なお、第１発光手段２４は、光りを上方に向けて照射する姿勢で配設される。前記発光装置２６の第２発光手段２５は、べース板２３における第１発光手段２４の配設位置より後方に配置されており、実施例では中央の第１発光手段２４の後方に離間して１個配置される。この第２発光手段２５は、発光色が白色の発光素子を備えるＬＥＤで構成され、光りを上方に向けて照射する姿勢で配設されている。前記発光装置２６は、機裏側に設けた図示しない制御装置に接続されて、該制御装置の制御に基づいて第１発光手段２４および第２発光手段２５を個別に点灯・消灯可能に構成されている。なお、第１発光手段２４については、各発光素子を個別に点灯・消灯制御することで、発光色を変化させて、発光演出のバリエーションを豊富にし得るようにしてある。
【００１７】
前記発光装置２６の上方に位置し、かつ前記光透過カバー２９と固定反射カバー２８とで画成される前記空間３１内に臨む装置本体３０に、上下方向に延在する支持軸３２が回転自在に枢支され、該支持軸３２の下端に回転反射部材２７が一体回転可能に配設されている。この回転反射部材２７は、図１に示す如く、側方および下方が開放した、釣鐘を縦断した如き形状に形成された反射部３３を備え、その下方開口部を発光装置２６に指向した吊り下げ状態となっている。なお、反射部３３の下端と発光装置２６の各発光手段２４,２５との間には、所定の隙間が形成されている。
【００１８】
前記回転反射部材２７の反射部３３における凹面状となっている内側には、前記第１発光手段２４および第２発光手段２５からの光を反射し得る鏡面処理が施された複数の上下に連設する反射面３４,３５および側部反射面３６,３６が形成されている。すなわち、反射部３３における側方開口部(開口部)３３ａと対向する位置に、図５および図６に示す如く、下端から上方に向けて支持軸３２に近接するように傾斜する第１反射面３４が形成されると共に、該第１反射面３４の上端から更に上方に向けて支持軸３２に近接するように傾斜する第２反射面３５が形成される。前記支持軸３２の軸線(回転反射部材２７の回転軸線)に対する第１反射面３４と第２反射面３５との傾斜角度は異なり、第２反射面３５の内角側の傾斜角度が第１反射面３４の内角側の傾斜角度より大きく設定されている。なお、第１反射面３４および第２反射面３５は、湾曲しない略平面状としてある。また実施例では、反射部３３の外側も含む全体に鏡面処理が施されており、前記固定反射カバー２８からの反射光が、反射部３３の内面および外面で反射されるようになっている。
【００１９】
前記第１反射面３４および第２反射面３５の両側方には、該反射面３４,３５の側縁に連なる側部反射面３６が夫々形成されており、両側部反射面３６,３６の開放端間に側方開口部３３ａが画成されるようになっている。また、各側部反射面３６は、第１および第２反射面３４,３５に対して所定角度で傾斜するよう設定される。すなわち、前記第１および第２発光手段２４,２５からの光の反射部３３に照射される位置である、第１反射面３４、第２反射面３５または側部反射面３６によって、光の反射方向が変化するよう構成してある。但し、各反射面３４,３５,３６の傾斜角度は、第１および第２発光手段２４,２５から照射された光を、前記側方開口部３３ａを介して支持軸３２の軸線と交差する方向へ反射し得る角度に設定されている。なお、第１反射面３４および第２反射面３５が略平面状であるのに対し、側部反射面３６は、側方開口部３３ａ側に拡開する湾曲状に形成されている。
【００２０】
前記支持軸３２には、歯車等の伝達手段３７が連繋され、該伝達手段３７を介して装置本体３０の裏側に配設した駆動手段としてのモータ３８の動力を支持軸３２に伝達して、該支持軸３２を所定方向に回転するよう構成される。そして、支持軸３２と一体的に回転反射部材２７が回転することで、該反射部材２７における反射部３３からの反射光の照射方向が回転変位するようになっている。モータ３８は前記制御装置に接続され、前記第１および第２発光手段２４,２５の点灯・消灯に合わせて制御装置でモータ３８を駆動制御して、回転反射部材２７を回転させ得るよう構成される。また回転反射部材２７を回転した際に、反射部３３における各反射面３４,３５,３６は、第１および第２発光手段２４,２５からの光を反射し得る位置を旋回するよう設定されている。なお、回転反射部材２７の回転中心である支持軸３２は、中央に位置する第１発光手段２４と第２発光手段２５との間の中間から前後方向に偏倚して位置し、反射面３４,３５,３６が旋回移動する際には、その旋回位置によって各反射面３４,３５,３６で反射される光の反射方向が変化されるようになっている。また、第１発光手段２４および第２発光手段２５から各反射面３４,３５,３６までの離間距離も、反射面３４,３５,３６の旋回移動中に変化し、これによって前記光透過カバー２９に到達する反射光の強弱が生ずるようにしてある。
【００２１】
なお、前記伝達手段３７またはモータ３８に回転位置センサ(図示せず)が配設され、該回転位置センサからの信号によって、制御装置は回転反射部材２７の現在位置を常に監視し、モータ３８を適正に制御して回転反射部材２７を必要な位置で停止させ得るようになっている。例えば、回転反射部材２７における反射部３３の側方開口部３３ａが機前面側を指向する第１位置(図５の位置)、および側方開口部３３ａが機後面側を指向する第２位置(図６の位置)に、回転反射部材２７を停止させるよう設定される。
【００２２】
実施例の発光装置２６における各第１発光手段２４は、図６に示す如く、前記回転反射部材２７が第２位置に臨む状態において、前記光透過カバー２９に一部の光を直接照射し得る位置に配置される。更に詳細には、回転反射部材２７が第２位置に臨む状態においては、該反射部材２７の反射部３３における第１反射面３４の下端が、第１発光手段２４の上方で光透過カバー２９側に偏倚しており、該第１発光手段２４から上方に向けて照射される光の一部は、第１反射面３４、第２反射面３５および側部反射面３６に照射されて後方の固定反射カバー２８に向けて反射されるのに対し、第１発光手段２４から上方に向けて照射される光の一部は、該第１発光手段２４と反射部３３との隙間を介して前方の光透過カバー２９に向けて直接照射されるようになっている。なお、実施例では中央に位置する第１発光手段２４は、左右に位置する第１発光手段２４,２４よりも更に前方に位置しているから、当該中央の第１発光手段２４に関しては、回転反射部材２７が第２位置に臨む状態で、他の第１発光手段２４よりも多くの光を光透過カバー２９に向けて直接照射し得るよう構成される。
【００２３】
前記第２発光手段２５は、回転反射部材２７が第２位置に臨む状態においては、該反射部材２７(反射部３３)によって光透過カバー２９への光の直接照射が全て遮られる位置に配置されている。更に詳細には、回転反射部材２７が第２位置に臨む状態においては、図６に示す如く、該反射部材２７の反射部３３の全体が第２発光手段２５の真上より前方に位置し、該第２発光手段２５から上方に向けて照射される光が、第２発光手段２５と反射部３３との隙間を介して前方の光透過カバー２９に向けて通過しないように設定される。すなわち、第２発光手段２５に関しては、回転反射部材２７の回転中において、光透過カバー２９への照射光が全て遮られる状態が発生するのに対し、第１発光手段２４に関しては、回転反射部材２７の回転中において、光透過カバー２９への照射光の全てが遮られる状態となることはなく、常に光透過カバー２９を介して機前面側を照らし得るようになっている。
【００２４】
なお、前記回転反射部材２７が第１位置に臨む状態においては、図５に示す如く、該反射部材２７の反射部３３における第１反射面３４の下端が、第２発光手段２５の上方で固定反射カバー２８側に偏倚しており、該第２発光手段２５から上方に向けて照射される光の一部は、第１反射面３４、第２反射面３５および側部反射面３６に照射されて前方の光透過カバー２９に向けて反射されると共に、第２発光手段２５から上方に向けて照射される光の一部は、該第２発光手段２５と反射部３３との隙間を介して前方の光透過カバー２９に向けて直接照射されるようになっている。また、回転反射部材２７が第１位置に臨む状態において、第１発光手段２４から上方に向けて照射される光の大部分は、光透過カバー２９に向けて直接照射される。
【００２５】
前記センター役物１３における演出装置１９の配設位置より下方に、図１に示す如く、前記流入口１４から役物内に通入したパチンコ球を左右方向に転動させるステージ３９が形成されると共に、該ステージ３９の左右方向の中央に対応する位置に、パチンコ球を裏側に通出案内する案内路４０が形成されている。なお、センター役物１３には、流入口１４から通入したパチンコ球を検出する第１検出センサ４１が設けられ(図２参照)、該第１検出センサ４１によるパチンコ球の検出を条件として、前記制御装置は演出装置１９による発光演出を行ない、遊技者の興趣を向上させるようになっている。また、センター役物１３に配設される第１振分装置１６は、役物内部の略中央において水平軸線回りに回動自在に配設された第１回転体４２を備え、該第１回転体４２は図示しないモータにより一定方向(実施例では図２の時計方向)に回転するよう構成される。第１回転体４２の外周囲には、複数の通路画成部材４３を介して第１回転体４２の真上に取入口４４、右方に第１経路４５および左方に第２経路４６が画成され、前記案内路４０を流通したパチンコ球は取入口４４に通出されるようになっている。
【００２６】
前記第１回転体４２の外周部には、周方向に離間して複数(実施例では４個であるが任意の数に設定可能である)の凹部４２ａが設けられている。各凹部４２ａは、球１個分の深さに設定され、前記取入口４４に通出されたパチンコ球が凹部４２ａに受入れられた状態で回転し得るようになっている。そして、凹部４２ａに受入れられたパチンコ球は、第１回転体４２の回転によって右方に移動されて、前記第１経路４５に放出されるよう設定される。また、第１回転体４２における凹部以外の外周面が取入口４４に到来した際にパチンコ球が取入口４４に通出された場合は、該パチンコ球は第１回転体４２の外周面に沿って左方に移動して前記第２経路４６に通入するよう構成されている。すなわち、パチンコ球が取入口４４に到来するタイミングによって、該パチンコ球は第１回転体４２により第１経路４５または第２経路４６に振分けられる。
【００２７】
前記第１振分装置１６の下方に、パチンコ球が落下可能な口(図示せず)が複数形成された前記振分部材１８が配設され、前記第１経路４５に振分けられたパチンコ球は、該振分部材１８上に落下するよう構成される。実施例では、振分部材１８には２つの普通入賞口(図示せず)と１つの特定普通図柄作動口(いわゆるＶゾーン)１５が形成され、該特定普通図柄作動口１５にパチンコ球が入賞したことを条件に、普通図柄の変動(抽選)が開始されるようになっている。そして、抽選の結果、当選した場合に、遊技者が多くの賞球を獲得可能な権利が発生するよう設定されている。実施例では、特定普通図柄作動口１５への入賞による抽選の結果の当選で、後述する第１電動役物５２が開放するよう構成される。またセンター役物１３には、第１経路４５から振分部材１８に導かれるパチンコ球を検出する第２検出センサ４８が設けられ、該第２検出センサ４８によるパチンコ球の検出を条件として、前記制御装置は演出装置１９による所要の発光演出を行ない、遊技者の興趣を向上させるようにしてある。なお、特定普通図柄作動口１５への入賞による抽選の結果は、、遊技盤１０に配設した普通図柄表示装置４７に表示される(図２参照)。
【００２８】
前記第２振分装置１７は、振分部材１８の斜め左上方位置において水平軸線回りに回転自在に配設された第２回転体４９を備え、該第２回転体４９は、図示しないモータにより常に一定方向(図２での時計方向)に回転するよう構成される。第２回転体４９には、外周の１箇所に、パチンコ球を受入れ可能な凹部４９ａが設けられている。また前記第２経路４６は、第２回転体４９の真上で開口し、該第２経路４６から通出したパチンコ球が、第２回転体４９の外周面上に落下するよう構成される。そして、パチンコ球が凹部４９ａに受入れられた場合は、該パチンコ球は第２回転体４９の回転によって前記振分部材１８上に落下するようになっている。これに対し、パチンコ球が第２回転体４９の凹部以外の外周面上に落下した場合は、該パチンコ球は外周面に沿って左方に移動してセンター役物１３外に排出されるようにしてある。なお、前記遊技盤１０における第２振分装置１７からのパチンコ球の排出位置に対応して、普通入賞口(図示せず)が配設されており、第２振分装置１７から排出されたパチンコ球が該普通入賞口に入賞するよう構成される。またセンター役物１３には、第２経路４６を通過して第２振分装置１７に導かれるパチンコ球を検出する第３検出センサ５０が設けられ、該第３検出センサ５０によるパチンコ球の検出を条件として、前記制御装置は演出装置１９による所要の発光演出を行ない、遊技者の興趣を向上させるようにしてある。
【００２９】
前記センター役物１３より右側の遊技領域１２に普通図柄作動ゲート５１が配設され、該作動ゲート５１をパチンコ球が通過した際に、普通図柄の変動(抽選)が開始されるよう構成されている。そして、普通図柄作動ゲート５１の通過による抽選の結果、当選した場合は、遊技者が多くの賞球を獲得可能な権利が発生するよう設定されている。なお、普通図柄作動ゲート５１をパチンコ球が通過することを契機とする抽選での当選による権利発生に基づく当り遊技(以下「第２当り遊技」と云う)は、前記振分部材１８の特定普通図柄作動口１５にパチンコ球が入賞したことを契機とする抽選での当選による権利発生に基づく当り遊技(以下「第１当り遊技」と云う)とは異なるよう設定され、実施例では普通図柄作動ゲート５１の通過で当選した場合は、後述する第２電動役物５３が開放するよう設定されている。また第２当り遊技は、第１当り遊技の発生中にのみ発生するように設定されている。すなわち、第１当り遊技中に、パチンコ球を遊技領域１２の右端部まで打ち込む、所謂右打ちを行なって普通図柄作動ゲート５１にパチンコ球を通過させることで、第２当り遊技が発生する。なお、普通図柄作動ゲート５１の通過による抽選の結果は、前記普通図柄表示装置４７に表示される。
【００３０】
前記センター役物１３の一側方(実施例では右側方)に、図２に示す如く、入賞口を開閉する複数(実施例では４つ)の電動式の役物(以後電動役物と称す)が上下に離間して配設されており、実施例では上側から順に第１電動役物５２、第２電動役物５３、第３電動役物５４および第４電動役物５５と指称する。第１〜第３電動役物５２,５３,５４が開閉する入賞口は、普通図柄作動口としても機能するよう設定され、第１〜第３電動役物５２,５３,５４に対応する入賞口については、第１普通図柄作動口５６、第２普通図柄作動口５７および第３普通図柄作動口５８と指称する。なお、第４電動役物５５が開閉する入賞口については、入賞口５９と指称する。そして、各普通図柄作動口５６,５７,５８にパチンコ球が入賞した際に、普通図柄の変動(抽選)が夫々開始されるようになっている。実施例では、前記第１当り遊技において第１普通図柄作動口５６への入賞で当選した場合は第３電動役物５４が開放し、第３普通図柄作動口５８への入賞で当選した場合は第４電動役物５５が開放するよう設定される。また、前記第２当り遊技において第２普通図柄作動口５７への入賞で当選した場合は第３電動役物５４が開放し、第３普通図柄作動口５８への入賞で当選した場合は第４電動役物５５が開放するよう設定される。
【００３１】
前記各電動役物５２,５３,５４,５５は、開放してからの経過時間またはパチンコ球の入賞数の何れかが、予め設定された時間または個数に達したときに閉成するよう設定されている。また第１当り遊技においては、第１および第３普通図柄作動口５６,５８に入賞したパチンコ球の最大保留数は、何れも同一で、例えば４個に設定されて、夫々４回の抽選が行なわれるようになっている。なお、第２当り遊技においては、第２普通図柄作動口５７に入賞したパチンコ球の最大保留数と、第３普通図柄作動口５８に入賞したパチンコ球の最大保留数とは異なるよう設定され、例えば第２普通図柄作動口５７の最大保留数が２個で、第３普通図柄作動口５８の最大保留数が４個に設定される。また、第１〜第３普通図柄作動口５６,５７,５８に関する保留数は、前記普通図柄表示装置４７に表示されるよう構成してある。
【００３２】
前記特定普通図柄作動口１５、普通図柄作動ゲート５１、第１〜第３普通図柄作動口５６,５７,５８への入賞または通過により開始される抽選での当選確率は異なるよう設定されている。実施例では、特定普通図柄作動口１５、第１〜第３普通図柄作動口５６,５７,５８での当選確率が略同じとされるのに対し、普通図柄作動ゲート５１での当選確率は低く設定されている。
【００３３】
〔実施例の作用〕
次に、前述した実施例に係るパチンコ機の作用につき説明する。
【００３４】
実施例に係る演出装置１９において、図１および図５に示す如く、前記回転反射部材２７が第１位置に停止保持されている状態では、前記反射部３３が前記発光装置２６における第１発光手段２４の真上から後方に偏倚して位置し、その反射面３４,３５,３６が略前方を向いている。従って、発光装置２６における第１発光手段２４を点灯させると、該第１発光手段２４からの光の略全ては、前記光透過カバー２９に向けて直接照射される。また発光装置２６における第２発光手段２５を点灯させると、該第２発光手段２５からの光の一部が、光透過カバー２９に向けて直接照射されると共に、一部が反射部３３の各反射面３４,３５,３６に照射され、その反射光が光透過カバー２９に照射される。すなわち、回転反射部材２７を第１位置に停止保持したもとで、両発光手段２４,２５を点灯することで、光透過カバー２９は最も明るく照らされる。
【００３５】
また、前記回転反射部材２７を第１位置に停止保持したもとで、第１発光手段２４のみを点灯した場合は、両発光手段２４,２５を点灯したときよりは明るさが弱くなる。しかも、第２発光手段２５の発光色は白色であるから、第２発光手段２５の点灯，消灯により、第１発光手段２４によるカラーの発光色の強弱を際立たせることができる。更に、第１発光手段２４の発光色を変化したもとで、第２発光手段２５の点灯，消灯を行なうことで、発光パターンのバリエーションが豊富となり、発光演出により遊技の興趣を向上し得る。
【００３６】
前記回転反射部材２７における各反射面３４,３５,３６の角度を異ならせているから、各反射面３４,３５,３６で反射した反射光は、前記光透過カバー２９に対して広範囲に照射される。すなわち、パチンコ機で遊技を行なっている遊技者のみならず、当該パチンコ機の前方を通過する歩行中の遊技者や遊技場従業員に対しても、発光演出が行なわれていることを認識させ得る。なお、演出装置１９による発光演出は、前記権利発生が期待できる前記流入口１４へのパチンコ球の通入や、権利発生により実施される第１当り遊技および第２当り遊技等の特別遊技状態において行なわれるから、歩行中の遊技者に対しては、当該パチンコ機への関心を高めることができると共に、遊技場従業員に対しては、特別遊技となり得る状態または特別遊技状態となっていることを覚知させて、球容器等を提供する準備を行なうことができる。
【００３７】
次に、図６に示す如く、前記回転反射部材２７が第２位置に停止保持されている状態では、前記反射部３３が前記発光装置２６の第１発光手段２４の真上から僅かに前方に偏倚して位置し、その反射面３４,３５,３６が略後方を向いている。従って、発光装置２６における第１発光手段２４を点灯させると、該第１発光手段２４からの光の一部は、光透過カバー２９に向けて直接照射されると共に、一部が反射部３３の各反射面３４,３５,３６に照射され、その反射光が固定反射カバー２８に向けて照射される。また、発光装置２６における第２発光手段２５を点灯させると、該第２発光手段２５から光透過カバー２９に向けて照射される光は、反射部３３に遮られる。なお、反射部３３の各反射面３４,３５,３６からの反射光は、固定反射カバー２８に向けて照射される。そして、固定反射カバー２８で反射した反射光は、反射部３３で遮られている部分を除く、該反射部３３の周囲を通過して光透過カバー２９に照射される。
【００３８】
すなわち、回転反射部材２７を第２位置に停止保持している状態では、第１発光手段２４および第２発光手段２５からの光の殆どは、回転反射部材２７により遮られて光透過カバー２９に直接照射されない。しかし、第１発光手段２４からの光の一部は、回転反射部材２７に遮られることなく該回転反射部材２７の下方を通過して光透過カバー２９に直接照射されるので、当該状態においても遊技者に対する演出装置１９による発光演出を行なうことができる。また、実施例では中央の第１発光手段２４は、他の第１発光手段２４より前側に位置して、回転反射部材２７が第２位置に停止している状態において、光透過カバー２９の中央に向けて多くの光を直接照射することができる。そして、この場合に回転反射部材２７の周囲から光透過カバー２９に照射される光は、固定反射カバー２８で反射された弱い光であるから、光透過カバー２９における中央部とその周囲とでのコントラストを大きくし得る。
【００３９】
次に、前記回転反射部材２７を回転すると、第１発光手段２４および第２発光手段２５からの光は反射部３３の反射面３４,３５,３６に照射され、該反射面３４,３５,３６から反射される反射光の照射方向が回転変位する。この場合に、各反射面３４,３５,３６の傾斜角度を異ならせているから、反射光の照射方向も多様に変位し、発光演出による興趣の向上が図られる。また、第１および第２反射面３４,３５の側縁には側部反射面３６,３６が連なっているから、第１および第２発光手段２４,２５からの光の照射位置が第１および第２反射面３４,３５から側部反射面３６または側部反射面３６から第１および第２反射面３４,３５に変わる際に光の反射が途切れることなく、第１および第２反射面３４,３５と側部反射面３６とでの反射光の照射方向が変更されて、興趣の高い演出が可能となる。なお、反射部３３の反射面３４,３５,３６は、前記第１および第２発光手段２４,２５からの光を反射可能な位置を旋回するから、回転反射部材２７の回転中は反射面３４,３５,３６からの反射光が、光透過カバー２９へ直接照射されたり、固定反射カバー２８を介して光透過カバー２９へ間接的に照射される状態が略連続的に行なわれる。
【００４０】
更に、前記回転反射部材２７が回転中に前記第２位置に到来した際においても、前述したように第１発光手段２４から光透過カバー２９への光の直接照射は無くならないから、遊技者に対しては常に発光演出を行なうことができ、遊技者に発光演出が途切れる印象を与える虞はなく、連続的な発光演出が可能となる。
【００４１】
次に、実施例におけるパチンコ機で実施される第１および第２当り遊技について説明する。
【００４２】
前記遊技盤１０の遊技領域１２に打出されたパチンコ球が、前記流入口１４に通入すると、該パチンコ球はステージ３９を左右方向に転動し、その勢いが弱くなったときに、前記案内路４０を介して第１振分装置１６の取入口４４に通出される。実施例のようにセンター役物１３の内部にパチンコ球が通入することで、遊技者に有利な権利が発生する可能性のあるパチンコ機では、流入口１４にパチンコ球が通入するのを遊技者が注目し、最も望んでいる。実施例では、流入口１４から役物内に通入したパチンコ球を前記第１検出センサ４１で検出したときに、前記制御装置は演出装置１９による各種の発光演出を行なうから、遊技者の興趣を高めることができる。
【００４３】
前記第１振分装置１６では、前記第１回転体４２が常に一定方向に回転しているから、該第１回転体４２の凹部４２ａが取入口４４に臨んだときにパチンコ球が該取入口４４に通出された場合は、該パチンコ球は凹部４２ａに受入れられた状態で、第１回転体４２の回転に伴って右下方に移動する。そして、このパチンコ球は、前記第１経路４５に放出された後、前記振分部材１８に導びかれる。振分部材１８に導びかれるパチンコ球は、前記第２検出センサ４８で検出され、このときに前記制御装置は、演出装置１９により発光演出を行なうことで、権利発生の確率の高い振分部材１８にパチンコ球が入ったことと、演出装置１９による発光演出とにより、権利発生の期待感を高めることができる。
【００４４】
また、前記案内路４０から取入口４４にパチンコ球が通出されたときに、第１回転体４２の凹部以外の外周面が取入口４４に臨んでいる場合は、該パチンコ球は外周面に沿って左方に移動し、前記第２経路４６に通入する。第２経路４６を通過したパチンコ球は、前記第２振分装置１７における第２回転体４９の上に通出される。第２回転体４９は常に一定方向に回転しており、該第２回転体４９の凹部４９ａが上方に臨んだときにパチンコ球が通出された場合は、該パチンコ球は凹部４９ａに受入れられた状態で、第２回転体４９の回転に伴って右方に案内されて、前記振分部材１８上に落下する。なお、第２経路４６から第２回転体４９の上にパチンコ球が通出されたときに、第２回転体４９の凹部以外の外周面が上側に臨んでいる場合は、該パチンコ球は外周面に沿って左方に移動し、役物外に排出される。第２経路４６を通過して第２振分装置１７に導びかれるパチンコ球は、前記第３検出センサ５０で検出され、このときに前記制御装置は、演出装置１９により発光演出を行なう。第２振分装置１７に導かれたパチンコ球であっても、確率は低いものの前記振分部材１８に入る可能性はあるから、演出装置１９による発光演出により遊技を盛り上げることで、遊技者に権利発生の期待感を持続させ得る。
【００４５】
前記振分部材１８上に至ったパチンコ球は、該振分部材１８上を旋回して、普通入賞口または特定普通図柄作動口１５の何れかに入賞する。パチンコ球が普通入賞口に入賞した場合は、権利発生とはならず、入賞に対して所定数の賞球が払い出される。これに対し、パチンコ球が特定普通図柄作動口１５に入賞すると、普通図柄の変動(抽選)が開始されると共に、当該入賞に対して所定数の賞球が払い出される。
【００４６】
前記特定普通図柄作動口１５にパチンコ球が入賞したことを契機とする抽選の結果、当選した場合は権利発生状態となり、第１当り遊技が実施される。すなわち、前記第１電動役物５２が作動して第１普通図柄作動口５６を開放する。なお、権利が発生したことは、前記普通図柄表示装置４７に表示される。権利発生状態となった後、右打ちを行なうことで、パチンコ球は、電動役物５２,５３,５４,５５が配設されている遊技領域１２の右側上方に打込まれて第１普通図柄作動口５６に入り易くなる。第１普通図柄作動口５６にパチンコ球が入賞すると、１球毎に所定数の賞球が払い出されると共に、普通図柄の変動(抽選)が開始される。第１電動役物５２は、開放してからの経過時間およびパチンコ球の入賞数の何れかが、予め設定された経過時間または入賞数に達した時点で第１普通図柄作動口５６を閉成する。なお、第１普通図柄作動口５６の開放中に入賞した所定数が保留数となり、該保留数は普通図柄表示装置４７に表示される。
【００４７】
前記第１普通図柄作動口５６にパチンコ球が入賞したことを契機とする抽選の結果、当選した場合は、前記第３電動役物５４が作動して第３普通図柄作動口５８を開放する。第３普通図柄作動口５８にパチンコ球が入賞すると、１球毎に所定数の賞球が払い出されると共に、普通図柄の変動(抽選)が開始される。第３電動役物５４は、開放してからの経過時間およびパチンコ球の入賞数の何れかが、予め設定された経過時間または入賞数に達した時点で第３普通図柄作動口５８を閉成する。なお、第３普通図柄作動口５８の開放中に入賞した所定数が保留数となり、該保留数は普通図柄表示装置４７に表示される。また、第１普通図柄作動口５６にパチンコ球が入賞したことを契機とする抽選の結果、当選しなかった場合は、前記第３電動役物５４で第３普通図柄作動口５８を開放することなく、第１普通図柄作動口５６での保留数が１つ消化されて再び普通図柄の変動による抽選が行なわれる。
【００４８】
前記第３普通図柄作動口５８にパチンコ球が入賞したことを契機とする抽選の結果、当選した場合は、前記第４電動役物５５が作動して入賞口５９を開放する。該入賞口５９にパチンコ球が入賞すると、１球毎に所定数の賞球が払い出される。そして、第４電動役物５５は、開放してからの経過時間およびパチンコ球の入賞数の何れかが、予め設定された経過時間または入賞数に達した時点で入賞口５９を閉成する。なお、第３普通図柄作動口５８にパチンコ球が入賞したことを契機とする抽選の結果、当選しなかった場合は、第４電動役物５５で入賞口５９を開放することなく、第３普通図柄作動口５８での保留数が１つ消化されて再び普通図柄の変動による抽選が行なわれる。
【００４９】
前記第４電動役物５５が閉成作動した時点で、前記第３普通図柄作動口５８での保留数が１つ消化されて再び普通図柄の変動による抽選が行なわれ、その結果当選した場合は、前述したと同様に第４電動役物５５が作動して入賞口５９を開放し、パチンコ球の入賞による１球毎に対する賞球の払い出しがなされると共に、予め設定された経過時間または入賞数に達した時点で第４電動役物５５が閉成作動される。すなわち、第３普通図柄作動口５８での保留数の分だけ抽選が行なわれて、当選した場合は入賞口５９が開放するサイクルが反復される。
【００５０】
前記第３普通図柄作動口５８での保留数が全て消化された後は、前記第１普通図柄作動口５６での保留数が１つ消化されて再び普通図柄の変動による抽選が行なわれ、その結果当選した場合は、前述したと同様に第３電動役物５４が作動して第３普通図柄作動口５８を開放し、パチンコ球の入賞による１球毎に対する賞球の払い出しがなされると共に、予め設定された経過時間または入賞数に達した時点で第３電役物５４を閉成作動する。このときにも、第３普通図柄作動口５８の開放中に入賞した所定数が保留数となり、該保留数の数だけ抽選が行なわれる毎に、前述した段落番号〔００４８〕，〔００４９〕のサイクルが繰返される。
【００５１】
そして、再び第１普通図柄作動口５６での保留数が１つ消化されて再び普通図柄の変動による抽選が行なわれ、当選により第３電動役物５４が作動して第３普通図柄作動口５８が開放し、前述した動作を繰す。すなわち、第１当り遊技においては、第３普通図柄作動口５８での保留数の数だけ第３普通図柄作動口５８の開放と入賞口５９の開放とが反復するサイクルが、第１普通図柄作動口５６での保留数の数だけ繰返されて、多数の賞球を獲得することができる。
【００５２】
前記第１当り遊技中において、右打ちしたパチンコ球が前記普通図柄作動ゲート５１を通過すると、普通図柄の変動(抽選)が開始され、抽選の結果、当選した場合は第２当り遊技が実施される。すなわち、前記第２電動役物５３が作動して第２普通図柄作動口５７を開放する。なお、第２当り遊技となったことが、前記普通図柄表示装置４７に表示される。第２普通図柄作動口５７にパチンコ球が入賞すると、１球毎に所定数の賞球が払い出されると共に、普通図柄の変動(抽選)が開始される。第２電動役物５３は、開放してからの経過時間およびパチンコ球の入賞数の何れかが、予め設定された経過時間または入賞数に達した時点で第２普通図柄作動口５７を閉成する。なお、第２普通図柄作動口５７の開放中に入賞した所定数が保留数となり、該保留数は普通図柄表示装置４７に表示される。
【００５３】
前記第２普通図柄作動口５７にパチンコ球が入賞したことを契機とする抽選の結果、当選した場合は、前記第３電動役物５４が作動して第３普通図柄作動口５８を開放する。以後は、第１当り遊技の場合と同様に、第３普通図柄作動口５８での保留数の分だけ抽選が行なわれて、当選した場合は入賞口５９が開放するサイクルが反復される。
【００５４】
そして、前記第３普通図柄作動口５８での保留数が全て消化された後は、前記第２普通図柄作動口５７での保留数が１つ消化されて再び普通図柄の変動による抽選が行なわれ、その結果当選した場合は、前述したと同様に第３電動役物５４が作動して第３普通図柄作動口５８を開放し、パチンコ球の入賞による１球毎に対する賞球が払い出しがなされると共に、予め設定された経過時間または入賞数に達した時点で第３電動役物５４を閉成作動する。このときにも、第３普通図柄作動口５８の開放中に入賞した所定数が保留数となり、該保留数の数だけ抽選が行なわれる毎に、前述した段落番号〔００４８〕，〔００４９〕のサイクルが反復される。
【００５５】
そして、再び第２普通図柄作動口５７での保留数が１つ消化されて再び普通図柄の変動による抽選が行なわれ、当選により第３電動役物５４が作動して第３普通図柄作動口５８を開放する。すなわち、第２当り遊技においては、第３普通図柄作動口５８での保留数の数だけ第３普通図柄作動口５８の開放と入賞口５９の開放とを反復するサイクルが、第２普通図柄作動口５７での保留数の数だけ繰返されて、多数の賞球を獲得することができる。なお、第２当り遊技においても、各抽選の結果、当選しなかった場合は、対応する第３普通図柄作動口５８または入賞口５９を開放することなく、対応する保留数が１つ消化されて再び普通図柄の変動による抽選が行なわれる。また、普通図柄作動ゲート５１にパチンコ球が通過することを契機とする普通図柄の変動時間は、第１当り遊技のおおよその消化時間よりも長く設定されている。この結果、第１当り遊技の途中で第２当り遊技に当選したときには、遊技者は、２つの異なる当り遊技を別々に消化することが可能となる。従って、夫々の当り遊技によって獲得し得る賞球の数を減少させることなく、遊技者に２つの当り遊技を楽しませることができる。
【００５６】
前記第１当り遊技および第２当り遊技中において、各抽選時や当選時等の各条件毎に、前記制御装置は、演出装置１９により異なる発光演出を行ない、遊技の興趣を向上させる。また、前記センター役物１３の内部で表示される前記図柄表示装置２１による図柄変動による演出も、各抽選時や当選時等の各条件毎に応じて変更され、遊技の興趣が高められる。
【００５７】
〔変更例〕
本発明に係る遊技機としては、実施例のものに限られるものではなく、種々の変更が可能である。
(1) 実施例では、演出装置の上方に回転反射部材を配置した場合で説明したが、この構成に限定されるものではなく、ベース板の下面に発光手段を下向きに光を照射するよう配置すると共に、該ベース板の下方において、上下方向に延在する支持軸の上端に回転反射部材を実施例とは上下逆向きの姿勢で配設した構成としてもよい。
(2) 演出装置に配設される第１発光手段および第２発光手段の配設数は実施例に限られるものでなく、任意の数を選択することができる。また、第１発光手段を複数設ける場合の配列パターンに関しても、全ての第１発光手段を左右方向に整列して配置したり、あるいは千鳥状に配置する等、任意のパターンを採用し得る。
(3) 実施例では第１発光手段としてフルカラーＬＥＤを採用し、第２発光手段として発光色が白色のＬＥＤを採用したが、これに限定されるものではない。例えば、第１発光手段として発光色が単色のＬＥＤやランプを採用したり、第２発光手段として発光色が単色のＬＥＤやランプあるいはフルカラーＬＥＤを採用することができる。この場合において、第１および第２発光手段の発光色の組合わせによって、前側に位置する第１発光手段の発光色に対し、第２発光手段の点灯、消灯により強弱を付けたり、第１発光手段の発光色を第２発光手段の発光色により色変化させることが可能となる。
(4) 回転反射部材における反射部に形成される反射面は上下方向に２つ形成される構成に限らず、１つあるいは３つ以上であってもよい。また、反射面の側縁に連なる側部反射面についても、相互に傾斜角度の異なる複数の側部反射面を形成する構成を採用し得る。
(5) 固定反射手段や光透過手段は、実施例の形状に限定されるものでなく、発光装置や回転反射手段からの光を反射または透過し得るものであれば、任意の形状を採用し得る。
(6) 上下方向に延在する支持軸に関しては、実施例では装置本体に鉛直姿勢で枢支した場合で説明したが、該支持軸は所定角度で傾斜した姿勢で装置本体に枢支されるものであってもよく、この場合に反射回転部材の反射部は傾斜した軸を中心として旋回する。
(7) 実施例では、演出装置をセンター役物に配設した場合で説明したが、これに限定されるものではなく、該演出装置を遊技盤の所要位置に配設するようにしてもよい。
(8) 遊技機としては、実施例に例示したパチンコ機に限られるものではなく、スロットマシン機やアレンジボール機、あるいはパチンコ式スロットマシン機等の従来公知の各種遊技機に採用可能である。
【図面の簡単な説明】
【００５８】
【図１】実施例に係るパチンコ機に設けられる演出装置から光透過カバーを取外した状態で示す概略斜視図である。
【図２】実施例に係る演出装置が配設されるパチンコ機の遊技盤を示す正面図である。
【図３】実施例に係る演出装置を示す正面図である。
【図４】実施例に係る演出装置を示す縦断斜視図である。
【図５】実施例に係る演出装置を、回転反射部材が第１位置に臨む状態で示す縦断側面図である。
【図６】実施例に係る演出装置を、回転反射部材が第２位置に臨む状態で示す縦断側面図である。
【符号の説明】
【００５９】
１０  遊技盤
１９  演出装置
２４  第１発光手段
２５  第２発光手段
２６  発光装置
２７  回転反射部材(回転反射手段)
２８  固定反射カバー(固定反射手段)
２９  光透過カバー(光透過手段)
３３  反射部
３３ａ  側方開口部(開口部)
３４  第１反射面(反射面)
３５  第２反射面(反射面)
３６  側部反射面
３８  モータ(駆動手段)
【図１】
2008119389.tif 000003
【図２】
2008119389.tif 000004
【図３】
2008119389.tif 000005
【図４】
2008119389.tif 000006
【図５】
2008119389.tif 000007
【図６】
2008119389.tif 000008